(57)【要約】【課題】古人が遺した散文や、文芸作品等の原著作物を心深く味わい、感動を得ることを可能にすると共に、堅牢な構造にして耐久性に優れ、且つ書写し易い構造となしたテキストブックを提供する。【解決手段】原著作物に係る文字を通常の濃度で印刷表示した紙葉部分７と、なぞり書きの可能な淡色で印刷表示した紙葉部分８とを有してなる教習本６を、折線２を介して表表紙３、背表紙４、裏表紙５が連続するハードカバー１における表表紙３または裏表紙５の内側に、当該ハードカバー１の見開き方向と直交する方向に見開きが可能なように貼着固定するようにした。【選択図】図３
0003121498.tif 000002
【実用新案登録請求の範囲】
【請求項１】
原著作物に係る文字を通常の濃度で印刷表示した紙葉部分と、なぞり書きの可能な淡色で印刷表示した紙葉部分とを有してなる教習本を、折線を介して表表紙、背表紙、裏表紙が連続するハードカバーにおける表表紙または裏表紙の内側に、当該ハードカバーの見開き方向と直交する方向に見開きが可能なように貼着固定してなることを特徴とするテキストブック。
【考案の詳細な説明】
【技術分野】
【０００１】
本考案は、古人が遺した散文や、文芸作品等の原著作物を心深く味わい、感動を得ることを可能にすると共に、堅牢な構造にして耐久性に優れ、且つ書写し易い構造となしたテキストブックに関する。
【背景技術】
【０００２】
古人が書した散文や、随筆、短歌、俳句、教典、文芸作品等を読むことにより鑑賞するのを一歩進めて、これを書くないし写すという動作に関連付けることによって作品のもつ独特の美しさや、感情をより一層感得できるようにする一方策として、次に示す特許文献１（実開平４−１１６７５号公報）あるいは特許文献２（特開平１０−１５１８８０号公報）に教示されている写経帳ないし写経用紙がある。
【０００３】
特許文献１に示すものは写経帳に関するものであって、所定サイズの用紙に般若心経を薄く印刷し、その複数の経文用紙を束ね、用紙上部に糊をつけて製本し便箋形式にしたものであり、特許文献２に示すものは用紙表面に所望の経文を肉細の実線または点線にて且つ薄い色調に印刷表示すると共に、当該経文に振り仮名を付記し、前記経文を硬筆でなぞり書きができるようにした写経用紙に関するものである。
【特許文献１】実開平４−１１６７５号公報
【特許文献２】特開平１０−１５１８８０号公報
【考案の開示】
【考案が解決しようとする課題】
【０００４】
このように、薄く印刷表示した教典の上からなぞり書きできるようにした写経帳ないし写経用紙は既に知られている。しかしながら、これら従来例によった場合は写したり、なぞったりすることにより原典をより良く理解することができるようになるとしても、保存性が悪く、特に特許文献１に係る写経帳によった場合は、束ねた経文用紙の上部に糊をつけて便箋形式にしただけのものであるから、経時的に経文用紙が剥離散逸して繰り返して作品を楽しむことができなくなるという問題点がある。
【０００５】
また、特許文献２に係る写経用紙に至っては単に経文を薄い色調に印刷表示しただけのものであるから保存性がきわめて悪く逸失する機会が増えるという問題点がある。
【０００６】
そこで、本考案は、古人が遺した散文や、文芸作品等の原著作物をじっくりと繰り返し味わうことができ、心に感動を刻むことを可能にし、また堅牢な構造にして耐久性ないし保存性に優れ、且つ書写し易い構造となしたテキストブックを提供することを目的とするものである。
【０００７】
すなわち、本考案は原著作物に潜む独特の情感や美しさなどを単に読むだけでなく、書写を通じてより良く感得できるようにすると共に、印刷物としての作品の価値を保持したまま、一層鑑賞し易い形態で編集した鉛筆などの硬筆による書写を可能にしたテキストブックを新規に提供しようとするものである。
【課題を解決するための手段】
【０００８】
上記目的を達成するための本考案の構成を詳述すれば、請求項１に係る考案は、原著作物に係る文字を通常の濃度で印刷表示した紙葉部分と、なぞり書きの可能な淡色で印刷表示した紙葉部分とを有してなる教習本を、折線を介して表表紙、背表紙、裏表紙が連続するハードカバーにおける表表紙または裏表紙の内側に、当該ハードカバーの見開き方向と直交する方向に見開きが可能なように貼着固定してなることを特徴とするテキストブックである。
【考案の効果】
【０００９】
本考案はこのように、背表紙を介して二つ折り可能なハードカバーの内側に、鉛筆などの硬筆によるなぞり書きの可能な紙葉部分を有する教習本を貼着固定するようにしたものであるから、原著作物の品格ないし体裁が向上すると共に、紙葉部分の耐久性ないし保存性がきわめて良好となる。また、ハードカバーの見開き方向と同じ方向に教習本を綴じ込んだものではないので、綴じ込み部分近傍が大きく膨らむことがなく、なぞり書きし易い構造のテキストブックとすることができる。
【００１０】
その他、通常の書籍ないしテキストブックは外カバーと紙葉部分の見開き方向が同一であって変化に乏しいが、本考案の場合はハードカバーの見開き方向と直交する方向に見開きが可能なように教習本の裏面を貼着固定したものであるから、意外性があり、ハードカバーを拡げてから、違う方向に紙葉を捲ることによって全体を大きく拡げて書写に集中することができ、結果的に作品の美しさや内容の深さなどのより一層の理解に繋がるものである。
【考案を実施するための最良の形態】
【００１１】
以下、本考案に係るテキストブックの具体的構成を図示の実施形態に基づき詳細に説明する。
【００１２】
図１はハードカバーと教習本の分解状態斜視図、図２はハードカバーの見開き方向と直交するようにハードカバーの内側に教習本を貼着固定した本考案テキストブックの一実施形態を示す斜視図、図３はハードカバー内の教習本を拡げた使用状態の一例を示す斜視図である。
【００１３】
図中１はハードカバーを示し、当該ハードカバー１は折線２を介して表表紙３、背表紙４および裏表紙５が連続形成されている。６は原著作物に係る文字を通常の濃度で印刷表示した紙葉部分７と、なぞり書きの可能な淡色で印刷表示した紙葉部分８とを有する教習本である。
【００１４】
図示する実施形態においては、通常濃度で印刷表示した紙葉部分７と、なぞり書きの可能な淡色で印刷表示した紙葉部分８とが別頁として綴じられているが、これを同一頁内に適宜併存させるようにしたり、あるいは通常濃度で印刷表示した部分となぞり書きの可能な淡色で印刷表示した部分とが一行置きに交互にあらわれるように編集してもよく、このような変更例も本考案の範囲に含まれるのは勿論である。
【００１５】
本考案における教習本６は上記のように、原著作物に係る文字を通常の濃度で印刷表示した紙葉部分７と、なぞり書きの可能な淡色で印刷表示した紙葉部分８とを有しているものであり、古人の遺した散文や、文芸作品等を単に読むことにより鑑賞するだけでなくこれを書くないし写すという動作を伴わせることにより文芸作品等をじっくりと味わい理解し、より多くの感動を得ることを可能にするものである。
【００１６】
なお、教習本６の全体が原著作物に係る文字を通常の濃度で印刷表示した紙葉部分７と、なぞり書きの可能な淡色で印刷表示した紙葉部分８とからなっている必要はなく、最も重要あるいは特徴のある部分のみをこのような構成として、その他の紙葉は通常の書籍形式として構成も何ら差し支えなく、このような応用例も本考案の範囲に含まれるものである。
【００１７】
また、原著作物によっては振り仮名を付したり、「注」の文字を付したり、編者の解説文を併記するようにしてもよい。さらに、場合によっては教習本６に空白の紙葉部分を併存させてもよく、このようにした場合には当該空白部分でなぞり書きとは違った感覚で書写を試みることができ、文芸作品等を一層心深く味わうことができるようになる。
【００１８】
本考案はこのような原著作物に係る文字を通常の濃度で印刷表示した紙葉部分７と、なぞり書きの可能な淡色で印刷表示した紙葉部分８とを有する教習本６を、ハードカバー１における表表紙３または裏表紙５の内側に、当該ハードカバー１の見開き方向と直交する方向、すなわち、ほゞ９０度角度を変えて見開きが可能なように糊ないし合成接着剤等により貼着固定して構成したものである。
【００１９】
したがって、本考案によった場合は、ハードカバー１を閉じた状態では、通常の書籍等と同様の外観体裁となるが、使用にあたっては、ハードカバー１を開いてから図３に示すように内部の教習本６の見開きに都合が良いようにこれを９０度回転させ、ハードカバー１を開いたままで教習本６の頁を捲って原著作物の通常の濃度で印刷表示した紙葉部分７を読み進むと共に、なぞり書きの可能な淡色で印刷表示した紙葉部分８をおもてにして鉛筆のような硬筆でなぞり書きを行うものである。
【００２０】
このように、本考案においては教習本６がハードカバー１の見開き方向と同一となるように綴じ込まれているものではないから、綴じ込み部分近傍が頁捲りの際に大きく膨らみ出ることがなくきわめて書写し易い状態を示現することができる。
【図面の簡単な説明】
【００２１】
【図１】ハードカバーと教習本の分解状態斜視図である。
【図２】ハードカバーの見開き方向と直交するようにハードカバーの内側に教習本を貼着固定した本考案テキストブックの一実施形態を示す斜視図である。
【図３】ハードカバー内の教習本を拡げた使用状態の一例を示す斜視図である。
【符号の説明】
【００２２】
１：ハードカバー
２：折線
３：表表紙
４：背表紙
５：裏表紙
６：教習本
７：通常濃度の紙葉部分
８：淡色表示の紙葉部分
【図１】
0003121498.tif 000003
【図２】
0003121498.tif 000004
【図３】
0003121498.tif 000005